(57)【要約】【課題】ドレンを排水する専用の排水管を設置することなく、潜熱回収時に発生したドレンを排水させることのできる給湯システムを提供することを目的とする。【解決手段】浴槽２０の底部には、浴槽２０内の残水を排水するための浴槽残水排水管２１の一方の端部２１ａが接続されている。浴槽残水排水管２１の他方の端部２１ｂは、排水管４１の排水口４２に近接して配設されている。一方の端部１６ａが中和器３０に接続されたドレン排水配管１６の他方の端部１６ｂは、排水管４１の排水口４２に近接して配設されている。そして、給湯装置１からの中和処理されたドレンは、ドレン排水配管１６を介して排水口４２から排水される。【選択図】        図２
2007120870.tif 000002
【特許請求の範囲】
【請求項１】
給湯燃焼に伴い発生する排気ガスの有する潜熱を回収する潜熱回収熱交換器と、該潜熱回収熱交換器による潜熱の回収のときに発生するドレンを回収するドレン回収部と、前記ドレンを中和する中和剤を収容し、該中和剤を基に前記ドレン回収部によって回収されたドレンに対する中和処理を行う中和器と、を備えた給湯装置と、
排水管が設置された浴室に設置され、前記給湯装置を介して湯が供給される浴槽と、
一方の端部が前記中和器に接続されるとともに他方の端部が前記排水管の排水口に近接して配設され、前記一方の端部から流入してきた前記中和器からの中和処理されたドレンを、前記他方の端部を介して前記排水口から排水させるドレン排水配管と、
を有することを特徴とする給湯システム。
【請求項２】
給湯燃焼に伴い発生する排気ガスの有する潜熱を回収する潜熱回収熱交換器と、該潜熱回収熱交換器による潜熱の回収のときに発生するドレンを回収するドレン回収部と、を備えた給湯装置と、
排水管が設置された浴室に設置され、前記給湯装置を介して湯が供給される浴槽と、
前記給湯装置とは独立して前記浴槽の外部近傍に設けられるとともに、前記ドレン回収部とはドレン配管で接続され、前記ドレンを中和する中和剤を収容し、該中和剤を基に前記ドレン配管を介して流入してきた前記ドレン回収部からのドレンに対する中和処理を行う中和器と、
一方の端部が前記中和器に接続されるとともに他方の端部が前記排水管の排水口に近接して配設され、前記一方の端部から流入してきた前記中和器からの中和処理されたドレンを、前記他方の端部を介して前記排水口から排水させるドレン排水配管と、
を有することを特徴とする給湯システム。
【請求項３】
前記浴室に設置された前記排水管の排水口は、前記浴槽内の残水を排水させるための排水口である
ことを特徴とする請求項１または２記載の給湯ステム。
【請求項４】
給湯燃焼に伴い発生する排気ガスの有する潜熱を回収する潜熱回収熱交換器と、該潜熱回収熱交換器による潜熱の回収のときに発生するドレンを回収するドレン回収部と、を備えた給湯装置と、
排水管が設置された浴室に設置され、前記給湯装置を介して湯が供給される浴槽と、
前記給湯装置とは独立して前記浴槽の外部近傍に設けられるとともに、前記ドレン回収部とはドレン配管で接続され、前記ドレン配管を介して流入してきた前記ドレン回収部からのドレンを収容するドレン収容部と、
前記浴槽内の残水の排水時に、当該排水時の残水と前記ドレン収容部内に収容されているドレンとを混合させ、当該混合された液体を前記排水管の排水口から排水させる排水機構と、
を有することを特徴とする給湯システム。
【請求項５】
前記排水機構は、
一方の端部が前記浴槽に接続されるとともに他方の端部が前記排水管の排水口に近接して配設され、前記浴槽内の残水を前記排水口から排水させる浴槽残水排水管と、
前記ドレン収容部と前記浴槽残水排水管とを連通するドレン排水配管と、
を備え、
前記浴槽内の残水が前記浴槽残水排水管内を流通するときに当該浴槽残水排水管内に発生する負圧により、前記ドレン収容部内のドレンを当該浴槽残水排水管へ排出させる
ことを特徴とする請求項４記載の給湯システム。
【発明の詳細な説明】
【技術分野】
【０００１】
本発明は、潜熱回収型の給湯装置と浴槽とを有する給湯システムに関するものである。
【背景技術】
【０００２】
給湯装置には、設置方法の種類により、例えば屋外据置型、屋外設置型、壁貫通型などが存在する。
【０００３】
例えば、壁貫通型の給湯装置（ふろ給湯装置）では、設置される浴槽と対向する当該浴室内の所定の壁を所定の開口をもって貫通させ、この開口部および当該壁の外側のスペースにより得られる設置スペースに取り付けられるようになっている（例えば、特許文献１参照）。
【０００４】
このような壁貫通型給湯装置を設置することにより、同一の浴室内において広い浴槽を設置することが可能となる。
【特許文献１】特開平１０−２２０７３１号公報
【発明の開示】
【発明が解決しようとする課題】
【０００５】
ところで、給湯装置としては、風呂の追い焚き燃焼と給湯燃焼とによって加熱される１次熱交換器に加えて、この１次熱交換器を通過した排気ガスの有する潜熱を回収する潜熱回収用熱交換器つまり２次熱交換器を備えた給湯装置（例えば一缶二水路給湯装置）を採用する方が、熱効率の向上の観点から好ましい。
【０００６】
このような潜熱回収型の給湯装置は、潜熱回収時に発生するドレン（酸性のドレン）を中和する中和剤を収容する中和器を備えている。すなわち、潜熱回収時に発生した酸性のドレンは、中和器によって中和処理された後に排出されるようになっている。
【０００７】
ここで、潜熱回収型の給湯装置を上記従来の壁貫通型給湯装置（ふろ給湯装置）に適用するようにした場合では、バーナや１次熱交換器に加えて、上述した２次熱交換器および中和器を備えた給湯装置を、壁に形成された開口部に挿通するようして取り付けるようにする。
【０００８】
そして、中和器によって中和処理されたドレンを排水するための排水管を設置する必要がある。すなわち、排水溝への配管工事等を実施する必要がある。
【０００９】
ところで、新築する住宅（例えば集合住宅など）に潜熱回収型の給湯装置を適用した壁貫通型給湯装置を設置する場合においては、新築工事のときにドレン排水用の排水管を含む排水設備を施すことが可能である。
【００１０】
しかし、既存の住宅において、既に設置されている上記従来の壁貫通型給湯装置に代替して、潜熱回収型の給湯装置を適用した壁貫通型給湯装置を設置する場合では、既存の排水管（浴槽の残水の排水用の排水管）とは別途に、新たにドレン排水用の排水管を設置する工事を実施なければならず、排水設備（排水管等）が煩雑になるという問題が発生する。
【００１１】
また、新築する住宅に潜熱回収型の給湯装置を適用した壁貫通型給湯装置を設置する場合においても、浴槽の残水の排水用の排水管とは別途に、ドレン排水用の排水管を設置する必要があるので、この場合も、排水設備（排水管等）が煩雑になるという問題が発生する。
【００１２】
そこで、本発明は、ドレンを排水する専用の排水管を設置することなく、潜熱回収時に発生したドレンを排水させることのできる給湯システムを提供することを目的とする。
【課題を解決するための手段】
【００１３】
上記課題を解決するため、請求項１に記載の本発明の給湯システムは、給湯燃焼に伴い発生する排気ガスの有する潜熱を回収する潜熱回収熱交換器と、該潜熱回収熱交換器による潜熱の回収のときに発生するドレンを回収するドレン回収部と、前記ドレンを中和する中和剤を収容し、該中和剤を基に前記ドレン回収部によって回収されたドレンに対する中和処理を行う中和器と、を備えた給湯装置と、排水管が設置された浴室に設置され、前記給湯装置を介して湯が供給される浴槽と、一方の端部が前記中和器に接続されるとともに他方の端部が前記排水管の排水口に近接して配設され、前記一方の端部から流入してきた前記中和器からの中和処理されたドレンを、前記他方の端部を介して前記排水口から排水させるドレン排水配管と、を有することを特徴とする。
【００１４】
このように、給湯装置内に設けられた中和器によって、潜熱回収熱交換器による潜熱の回収のときに発生した酸性のドレンを中和処理し、この中和処理されたドレンを、浴室に設置された排水管へ排水させるようにしているので、既存の排水管を利用してドレンを排水させることができ、これによりドレンを排水する専用の排水管を設置することなく、潜熱回収時に発生したドレンを排水させることができる。
【００１５】
上記課題を解決するため、請求項２に記載の本発明の給湯システムは、給湯燃焼に伴い発生する排気ガスの有する潜熱を回収する潜熱回収熱交換器と、該潜熱回収熱交換器による潜熱の回収のときに発生するドレンを回収するドレン回収部と、を備えた給湯装置と、排水管が設置された浴室に設置され、前記給湯装置を介して湯が供給される浴槽と、前記給湯装置とは独立して前記浴槽の外部近傍に設けられるとともに、前記ドレン回収部とはドレン配管で接続され、前記ドレンを中和する中和剤を収容し、該中和剤を基に前記ドレン配管を介して流入してきた前記ドレン回収部からのドレンに対する中和処理を行う中和器と、一方の端部が前記中和器に接続されるとともに他方の端部が前記排水管の排水口に近接して配設され、前記一方の端部から流入してきた前記中和器からの中和処理されたドレンを、前記他方の端部を介して前記排水口から排水させるドレン排水配管と、を有することを特徴とする。
【００１６】
このように、給湯装置とは独立して設けられる中和器によって、潜熱回収熱交換器による潜熱の回収のときに発生した酸性のドレンを中和処理し、この中和処理されたドレンを、浴室に設置された排水管へ排水させるようにしているので、既存の排水管を利用してドレンを排水させることができ、これによりドレンを排水する専用の排水管を設置することなく、潜熱回収時に発生したドレンを排水させることのできる。また、給湯装置は中和器を備える必要がないので、給湯装置の小型化を図ることができる。
【００１７】
請求項３に記載の本発明は、請求項１または２に記載の発明の構成に加えて、前記浴室に設置された前記排水管の排水口は、前記浴槽内の残水を排水させるための排水口であることを特徴とする。
【００１８】
このように、中和器によって中和処理されたドレンは、浴室に設置され浴槽内の残水を排水させるための排水管の排水口から排水されるようになっているので、ドレンの排水に関し、ドレンの排水用の専用排水管を設置することなく、浴槽内の残水の排水用の排水管を用いることができ、排水設備をシンプル化することができる。
【００１９】
上記課題を解決するため、請求項４に記載の本発明の給湯システムは、給湯燃焼に伴い発生する排気ガスの有する潜熱を回収する潜熱回収熱交換器と、該潜熱回収熱交換器による潜熱の回収のときに発生するドレンを回収するドレン回収部と、を備えた給湯装置と、排水管が設置された浴室に設置され、前記給湯装置を介して湯が供給される浴槽と、前記給湯装置とは独立して前記浴槽の外部近傍に設けられるとともに、前記ドレン回収部とはドレン配管で接続され、前記ドレン配管を介して流入してきた前記ドレン回収部からのドレンを収容するドレン収容部と、前記浴槽内の残水の排水時に、当該排水時の残水と前記ドレン収容部内に収容されているドレンとを混合させ、当該混合された液体を前記排水管の排水口から排水させる排水機構と、を有することを特徴とする。
【００２０】
このように、排水機構によって、浴槽内の残水の排水時に、当該排水時の残水とドレン収容部内に収容されている酸性のドレンとを混合させ、当該混合された液体を浴室に設置されている排水管の排水口から排水させるようにしているので、浴槽内の残水と酸性のドレンとが混合されることにより、当該酸性のドレンに対する中和処理を行うことができる。また、浴槽内の残水により中和処理されたドレンを、浴室に設置された排水管へ排水させるようにしているので、既存の排水管を利用してドレンを排水させることができ、これによりドレンを排水する専用の排水管を設置することなく、潜熱回収時に発生したドレンを排水させることのできる。
【００２１】
請求項５に記載の本発明は、請求項４に記載の発明の構成に加えて、前記排水機構は、一方の端部が前記浴槽に接続されるとともに他方の端部が前記排水管の排水口に近接して配設され、前記浴槽内の残水を前記排水口から排水させる浴槽残水排水管と、前記ドレン収容部と前記浴槽残水排水管とを連通するドレン排水配管と、を備え、前記浴槽内の残水が前記浴槽残水排水管内を流通するときに当該浴槽残水排水管内に発生する負圧により、前記ドレン収容部内のドレンを当該浴槽残水排水管へ排出させることを特徴とする。
【００２２】
このように、排水機構が、浴槽内の残水が浴槽残水排水管内を流通するときに当該浴槽残水排水管内に発生する負圧により、ドレン収容部内の酸性のドレンを当該浴槽残水排水管へ排出させるようにしているので、簡単な構造の排水機構を用いて、浴槽内の残水と酸性のドレンとを混合させることにより、当該酸性のドレンに対する中和処理を行うことができる。
【発明の効果】
【００２３】
本発明によれば、給湯装置内の中和器によって、潜熱回収熱交換器による潜熱の回収のときに発生したドレンを中和処理し、この中和処理されたドレンを、浴室に設置された排水管へ排水させるようにしているので、既存の排水管を利用してドレンを排水させることができ、よって、ドレンを排水する専用の排水管を設置することなく、潜熱回収時に発生したドレンを排水させることのできるという有効な効果を奏する。
【００２４】
また、本発明によれば、給湯装置とは独立して設けられる中和器によって、潜熱回収熱交換器による潜熱の回収のときに発生したドレンを中和処理し、この中和処理されたドレンを、浴室に設置された排水管へ排水させるようにしているので、既存の排水管を利用してドレンを排水させることができ、よって、ドレンを排水する専用の排水管を設置することなく、潜熱回収時に発生したドレンを排水させることのできるという有効な効果を奏する。また、給湯装置は中和器を備える必要がないので、その分、給湯装置の小型化を図ることができるという有効な効果を奏する。
【００２５】
さらに、本発明によれば、排水機構によって、浴槽内の残水の排水時に、当該排水時の残水とドレン収容部内に収容されているドレンとを混合させ、当該混合された液体を浴室に設置されている排水管の排水口から排水させるようにしているので、浴槽内の残水とドレンとが混合されることにより、当該ドレンに対する中和処理を行うことができるという有効な効果を奏する。また、浴槽内の残水により中和処理されたドレンを、浴室に設置された排水管へ排水させるようにしているので、既存の排水管を利用してドレンを排水させることができ、よって、ドレンを排水する専用の排水管を設置することなく、潜熱回収時に発生したドレンを排水させることのできるという有効な効果を奏する。
【発明を実施するための最良の形態】
【００２６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２７】
（実施の形態１）
【００２８】
図１は本発明の実施の形態１である給湯システムの概略構成を示す模式図、図２は実施の形態１の給湯システムにおけるドレンの排出処理態様の一例を示す図である。
【００２９】
図１に示すように、給湯システムは、給湯装置１、および浴槽２０を備えている。
【００３０】
潜熱回収型の給湯装置１は燃焼室１０を有しており、燃焼室１０には、バーナ１１、１次熱交換器１２、２次熱交換器１３、およびドレン回収部１４が設けられている。
【００３１】
バーナ１１は給湯燃焼を行うとともに追い焚き燃焼を行う燃焼手段の機能を果たすものであり、ガス配管１１ａが接続されている。ガス配管１１ａにはガス開閉弁１１ｂが設けられている。なお、バーナ１１の下方側には、このバーナ１１に燃焼用空気を供給する図示しない燃焼ファンが配置されている。
【００３２】
１次熱交換器１２は複数のフィン１２ａを有し、これらのフィン１２ａに給湯配管２（給湯配管系）および追い焚き配管３が密着して設けられている。１次熱交換器１２は、バーナ１１の燃焼によって加熱される。
【００３３】
２次熱交換器（潜熱回収熱交換器）１３は複数のフィン１３ａを有し、バーナ１１に対し１次熱交換器１２の配設位置よりも離れた位置に配設されている。これらのフィン１３ａに給湯配管２が密着して設けられている。２次熱交換器１３は、バーナ１１による給湯燃焼に係る潜熱つまり１次熱交換器１２を通過した排気ガスの潜熱を回収する。なお、２次熱交換器１３においては、複数のフィン１３ａは無くてもよい。
【００３４】
このようにして潜熱回収された後の排気ガスは、燃焼室１０における２次熱交換器１３よりも上部側に設けられた排気口１０ａから外部へ排気されるようになっている。
【００３５】
ドレン回収部１４は、１次熱交換器１２と２次熱交換器１３との間に介在し、２次熱交換器１３による潜熱の回収のときに発生する酸性のドレンを受ける（回収する）ものである。
【００３６】
このようなドレン回収部１４と中和器３０とはドレン配管１５で接続されており、ドレン回収部１４によって回収されたドレンは、ドレン配管１５を介して中和器３０に流入する。
【００３７】
中和器３０に流入してきた酸性のドレンは、中和器３０にて中和処理された後、ドレン排水配管１６を介して、浴槽２０が設置されている浴室の排水口から排水されるようになっている。
【００３８】
ドレン排水配管１６は、一方の端部１６ａが中和器３０に接続されるとともに他方の端部１６ｂが後述する浴室内の排水口に近接して配設されている。
【００３９】
給湯配管（給湯配管系）２は、入口側配管２ａに給水された水が、２次熱交換器１３を経由し、次に１次熱交換器１２を経由して出口側配管２ｂから流出されるように配設されている。
【００４０】
入口側配管２ａと出口側配管２ｂとの間にはバイパス通路４が設けられている。また、出口側配管２ｂには給湯栓（給水栓）５が設けられている。
【００４１】
追い焚き配管３は、浴槽２０の側壁に開口して延びる戻り管３ａおよび往き管３ｂから構成されている。戻り管３ａには循環ポンプ６が設置されている。
【００４２】
また、追い焚き配管３は、浴槽２０内の浴槽水（揚水）が、循環ポンプ６が回転駆動することで戻り管３ａから取り込まれて１次熱交換器１２を経由し、その後、行き管３ｂから再び浴槽２０へ戻る、ように構成されている。すなわち、浴槽２０、戻り管３ａおよび行き管３ｂで、浴槽２０内の浴槽水（揚水）を循環させるための循環路が形成される。
【００４３】
戻り管３ａには、浴槽２０の循環浴槽水（循環揚水）の温度を風呂温度（浴槽２０内の湯の温度）として検出するサーミスタ等の風呂温度センサ７が設けられている。
【００４４】
戻り管３ａにおける循環ポンプ６の下流側と給湯配管２の出口側配管２ｂとの間には、注湯管８が設けられている。注湯管８には図示しない制御手段により弁が開閉制御される注湯弁９が設けられている。
【００４５】
次に、実施の形態１の給湯システムにおけるドレンの排出処理態様の一例について、図２を参照しながら説明する。
【００４６】
浴槽２０は、排水管４１が設置された浴室４０に設置され、給湯装置１を介して湯が供給される。
【００４７】
浴槽２０の底部には、浴槽２０内の残水を排水するための浴槽残水排水管２１の一方の端部２１ａが接続されている。浴槽残水排水管２１の他方の端部２１ｂは、排水管４１の排水口４２に近接して配設されている。
【００４８】
一方の端部１６ａが中和器３０に接続されたドレン排水配管１６の他方の端部１６ｂは、排水管４１の排水口４２に近接して配設されている。そして、ドレン排水配管１６は一方の端部１６ａから流入してきた中和器３０からの中和処理されたドレンを、他方の端部１６ｂを介して排水口４２から排水させるようになっている。
【００４９】
具体的には、浴槽残水排水管２１の他方の端部２１ｂおよびドレン排水配管１６の他方端部１６ｂは、排水管４１の排水口４２を通過し、排水管４１内の所定の位置まで達している。
【００５０】
次に、このような構成の給湯システムの給湯燃焼時のドレンの排水処理について、図１および図２を参照して説明する。
【００５１】
バーナ１１が給湯燃焼を行うと、この給湯燃焼に伴って発生した排気ガスが１次熱交換器１２を通過し、２次熱交換器（潜熱回収熱交換器）１３に達する。２次熱交換器１３は到達した排気ガスの有する潜熱を回収する。この２次熱交換器１３による潜熱の回収のときに酸性のドレンが発生する。
【００５２】
この酸性のドレンはドレン回収部１４で回収され、さらにドレン配管１５を介して中和器３０に流入し、中和器３０によって中和処理される。
【００５３】
このようにして中和処理されたドレンは、ドレン排水配管１６、および排水口４２を介して排水管４１へ排水される（図２参照）。
【００５４】
以上説明したように、本実施の形態１によれば、次の（１）、（２）の作用効果を期待することができる。
【００５５】
（１）潜熱回収型の給湯装置１から排出され中和処理されたドレンを、浴槽２０内の残水の排水用の排水管４１に排水するようにしているので、ドレンの排水用の専用の排水管を設置する必要がなく、排水設備をシンプル化することができる。
【００５６】
（２）特に、既存の住宅において、既に設置されている上述した従来の壁貫通型給湯装置に代替して、潜熱回収型の給湯装置（給湯装置１）を適用した壁貫通型給湯装置を設置する場合においては、既存の排水管（浴槽内の残水の排水用の排水管）４１とは別途に、新たなドレン排水用の専用の排水管を設置する必要はない。すなわち、新たなドレン排水用の排水管の配管工事等を施工する必要はない、という利点がある。
【００５７】
（実施の形態２）
【００５８】
図３は本発明の実施の形態２である給湯システムの概略構成を示す模式図、図４は実施の形態２の給湯システムにおけるドレンの排出処理態様の一例を示す図である。
【００５９】
図３に示す給湯システムは、図１に示した実施の形態１の給湯システムにおいて、給湯装置１を給湯装置１００に代替し、中和器３０を削除し、中和器５０を追加した構成になっている。なお、図３において、図１に示した構成要素と同様の機能を果たす部分には同一の符号を付している。
【００６０】
上述した実施の形態１の給湯装置１は中和器を備えているのに対し、この実施の形態２の給湯装置１００は中和器を備えていない。
【００６１】
すなわち、中和器５０は、給湯装置１００とは独立して浴槽２０の外部近傍に設けられるとともに、ドレン回収部１４とはドレン配管１５で接続されている。しかも中和器５０は、２次熱交換器（潜熱回収熱交換器）１３による潜熱の回収のときに発生する酸性のドレンを中和する中和剤を収容し、該中和剤を基にドレン配管１５を介して流入してきたドレン回収部１４からの酸性のドレンに対する中和処理を行う。
【００６２】
次に、実施の形態２の給湯システムにおけるドレンの排出処理態様の一例について、図４を参照しながら説明する。
【００６３】
図４に示す例は、図２に示した例において、中和器３０を削除し、中和器５０を浴槽２０の外部近傍に配設した構成になっている。なお、図４において、図２に示した構成要素と同様の機能を果たす部分には同一の符号を付している。
【００６４】
中和器５０は、図４に示すように、着脱可能なエプロン（図示せず）が対向して設置される浴槽２０の外部側面２０ａに、中和剤の補充が可能な状態で取り付けられている。
【００６５】
本実施の形態２においても、基本的には、実施の形態１の給湯システムの場合と同様のドレンの排水処理が行われるので、ここではその説明は省略する。
【００６６】
以上説明したように、本実施の形態２によれば、中和処理を行う中和器５０を、エプロン（図示せず）と浴槽２０の外部側面２０ａとの間の空きスペース、例えば浴槽２０の外部側面２０ａに配設するようにしているので、潜熱回収型の給湯装置１００を、中和器５０の大きさ分だけ当該給湯装置自身のサイズを小さくすることができる。
【００６７】
また、本実施の形態２によれば、上記実施の形態１の場合と同様の作用効果を期待することができる。
【００６８】
（実施の形態３）
【００６９】
図５は本発明の実施の形態３である給湯システムの概略構成を示す模式図、図６は実施の形態３の給湯システムにおけるドレンの排出処理態様の一例を示す図、図７は実施の形態３の排水機構を説明する図である。
【００７０】
図５に示す給湯システムは、図３に示した実施の形態２の給湯システムにおいて、ドレン排水配管１６および中和器５０を削除し、ドレン収容部６０およびドレン排水配管６１を追加した構成になっている。なお、図５において、図３に示した構成要素と同様の機能を果たす部分には同一の符号を付している。
【００７１】
図５において、ドレン収容部６０は、給湯装置１００とは独立して後述する浴槽２０の外部近傍に設けられるとともに、ドレン回収部１４とはドレン配管１５を介して接続される。そして、ドレン収容部６０は、ドレン配管１５を介して流入してきたドレン回収部１４からの酸性のドレンを収容する。なお、ドレン収容部６０は、中和器とは異なり、酸性のドレンを中和処理せずに、単に酸性のドレンを収容するのみである。
【００７２】
ドレン収容部６０によって収容された酸性のドレンは、ドレン排水配管６１を介して、後述するように、浴槽２０内の残水（以下、浴槽残水という）の排水時に、当該浴槽残水と混合されて排水されるようになっている。
【００７３】
なお、浴槽２０の底部には、浴槽残水を排水するための排水部２０ｂが形成されている。排水部２０ｂには着脱可能な図示しない栓が装着され、浴槽２０内の浴槽残水を排水するときに当該栓が取り外される。
【００７４】
次に、実施の形態３の給湯システムにおけるドレンの排出処理態様の一例について、図６を参照しながら説明する。
【００７５】
図６に示す例は、図４に示した例において、ドレン排水配管１６および中和器５０を削除し、ドレン収容部６０およびドレン排水配管６１を追加した構成になっている。なお、図６において、図４に示した構成要素と同様の機能を果たす部分には同一の符号を付している。
【００７６】
ドレン排水配管６１は、ドレン収容部６０と浴槽残水排水管２１とを連通するように配設され、かつドレン収容部６０内の酸性のドレンが浴槽残水排水管２１へ流通するように配設されている。
【００７７】
この実施の形態３では、浴槽残水排水管４１とドレン排水配管６１とで、排水機構の機能を果たすようになっている。次に、この排水機構の具体例について、図７を参照して説明する。
【００７８】
図７に示すように、一方の端部が給湯装置１００内のドレン回収部１４と接続されているドレン配管１５の他方の端部は、当該配管の凹部とドレン収容部６０の上面に設けられた凸部とが嵌合されている。
【００７９】
浴槽残水排水管２１は、その一方の端部２１ａが浴槽２０の排水部２０ｂと接続されているとともに、その他方の端部２１ｂが中継管４３を介して排水管４１における排水口４２を含む端部と接続されている。
【００８０】
また、浴槽残水排水管２１においては、一方の端部２１ａと他方の端部２１ｂとの間に、当該排水管の他の部位と比較して径が小さい部位２２が形成されている。
【００８１】
ドレン排水配管６１は、その一方の端部６１ａが浴槽残水排水管２１の部位２２に接続さ、その他方の端部６１ｂがドレン収容部６０の底面よりも所定距離離間して設けられている。
【００８２】
このような排水機構は、浴槽２０内の浴槽残水の排水時に、当該排水時の浴槽残水とドレン収容部６０内に収容されている酸性のドレンとを混合させ、当該混合された液体を排水管４１の排水口４２から排水させる。
【００８３】
すなわち、排水機構は、浴槽残水が浴槽残水排水管２１内を流通するときに当該浴槽残水排水管２１内に発生する負圧により、ドレン収容部６０内のドレンを当該浴槽残水排水管２１へ排出させる（負圧吸引させる）。
【００８４】
次に、このような構成の給湯システムの給湯燃焼時のドレンの排水処理について、図６および図７を参照して説明する。
【００８５】
給湯装置１００において給湯燃焼が行われると、この給湯燃焼に係る潜熱が回収されるとともに、この潜熱の回収に伴って酸性のドレンが発生する。
【００８６】
このようにして発生した酸性のドレンは、給湯装置１００内のドレン回収部１４によって回収され、その後、ドレン配管１５を介してドレン収容部６０に流入し、ドレン収容部６０で収容される（図６および図７参照）。
【００８７】
ここで、浴槽２０の排水部２０ｂに装着された栓（図示せず）が取り外されない、すなわち浴槽２０内の浴槽残水の排水が行われない限り、ドレン収容部６０内の酸性のドレンは、浴槽残水排水管２１へ排水されない。
【００８８】
そして、排水部２０ｂに装着された栓（図示せず）が取り外されて、浴槽残水が浴槽残水排水管２１を介して排水管４１へ排水されると、浴槽残水排水管２１内に負圧が発生する。
【００８９】
すると、ドレン収容部６０内の酸性のドレンが、負圧吸引されることによりドレン排水配管６１を介して浴槽残水排水管２１に流入し、排水中の浴槽残水と混合されて排水管４１へ排水される。
【００９０】
酸性のドレンと浴槽残水とが混合されるということは、当該ドレンが中和処理されることを意味する。
【００９１】
以上説明したように、本実施の形態３によれば、浴槽残水が浴槽残水排水管２１を介して排水管４１（の排水口４２）に向けて排水されたときに浴槽残水排水管２１内に発生する負圧を基に、ドレン収容部６０に収容された酸性のドレンを、浴槽残水排水管２１へ排出させて（負圧吸引させて）、当該排水中の浴槽残水と混合させることができる。
【００９２】
すなわち、酸性のドレンを中和する中和剤を収容した中和器を用いることなく、酸性のドレンと浴槽残水とを混合させることで、当該酸性のドレンに対する中和処理を行うことができる。
【００９３】
また、本実施の形態３によれば、上記実施の形態１の場合と同様の作用効果を期待することができる。
【産業上の利用可能性】
【００９４】
本発明は、潜熱回収型の給湯装置と浴槽とを有する給湯システムを採用したシステム、例えば各種端末機（床暖房機、浴室暖房機など）に対して温水を循環させることで暖房および乾燥を行う機能を有するとともに、シャワーや台所などへの給湯、全自動風呂および追い焚きなどの機能を有する温水式給湯暖冷房システムに適用することができる。
【図面の簡単な説明】
【００９５】
【図１】本発明の実施の形態１である給湯システムの概略構成を示す模式図である。
【図２】実施の形態１の給湯システムにおけるドレンの排出処理態様の一例を示す図である。
【図３】本発明の実施の形態２である給湯システムの概略構成を示す模式図である。
【図４】実施の形態２の給湯システムにおけるドレンの排出処理態様の一例を示す図である。
【図５】発明の実施の形態３である給湯システムの概略構成を示す模式図である。
【図６】実施の形態３の給湯システムにおけるドレンの排出処理態様の一例を示す図である。
【図７】実施の形態３の排水機構を説明する図である。
【符号の説明】
【００９６】
１，１００  給湯装置
２  給湯配管
２ａ  入口側配管
２ｂ  出口側配管
３  追い焚き配管
３ａ  戻り管
３ｂ  行き管
４  バイパス通路
５  給湯栓
６  循環ポンプ
７  温度センサ
８  注湯管
９  注湯弁
１０  燃焼室
１０ａ  排気口
１１  バーナ
１１ａ  ガス配管
１１ｂ  ガス開閉弁
１２  １次熱交換器
１２ａ  フィン
１３  ２次熱交換器（潜熱回収熱交換器）
１３ａ  フィン
１４  ドレン回収部
１５  ドレン配管
１６  ドレン排水配管
１６ａ  ドレン排水配管の一方の端部
１６ｂ  ドレン排水配管の他方の端部
２０  浴槽
２１  浴槽残水排水管
３０，５０  中和器
４０  浴室
４１  排水管
４２  排水口
６０  ドレン収容部
６１  ドレン排水配管
６１ａ  ドレン排水配管の一方の端部
６１ｂ  ドレン排水配管の他方の端部
【図１】
2007120870.tif 000003
【図２】
2007120870.tif 000004
【図３】
2007120870.tif 000005
【図４】
2007120870.tif 000006
【図５】
2007120870.tif 000007
【図６】
2007120870.tif 000008
【図７】
2007120870.tif 000009